(57)【要約】【課題】設置面を濡らしにくくすることができると共に、濡れてもスムーズに乾かすことができ、更に所定の設置箇所から滑りにくいマットを提供する。【解決手段】このマット１０は、吸水性を有する繊維からなる編物又は不織布から形成された吸水パッド２０と、該吸水パッド２０の裏側に直接又は他の層を介して接合された三次元立体編物からなる通気パッド３０とを備え、通気パッド２０の裏側に、滑り止め加工が施されているか又は滑り止めシートが配設されている。【選択図】図３
2012187380.tif 000002
【特許請求の範囲】
【請求項１】
吸水性を有する繊維からなる編物又は不織布から形成された吸水パッドと、該吸水パッドの裏側に直接又は他の層を介して接合された三次元立体編物からなる通気パッドとを備え、
前記通気パッドの裏側に、滑り止め加工が施されているか又は滑り止めシートが配設されていることを特徴とするマット。
【請求項２】
前記吸水パッドと前記通気パッドとの間に、前記他の層としてクッション部材が配設されている請求項１記載のマット。
【請求項３】
前記吸水パッドと前記通気パッドとの間に、前記他の層として抗菌性及び／又は消臭性を有する不織布が配設されている請求項１又は２記載のマット。
【請求項４】
前記吸水パッドの裏側に直接又は他の層を介して、前記通気パッドが接着剤を介して接合されている請求項１〜３のいずれか１つに記載のマット。
【請求項５】
前記吸水パッド及び前記通気パッドの周縁には、それらの端部を覆う縁取り部材が縫着されている請求項１〜４のいずれか１つに記載のマット。
【請求項６】
前記吸水パッドは、マイクロファイバーで織られた、多数の突起を表面に立設させたパイル状の生地で構成されている請求項１〜５のいずれか１つに記載のマット。
【発明の詳細な説明】
【技術分野】
【０００１】
本発明は、例えば、浴室やトイレ、洗面台等に設置され、優れた吸水性を有するマットに関する。
【背景技術】
【０００２】
例えば、浴室の脱衣所や出入り口、トイレ、洗面台、キッチン等の、水が扱われる場所には、水分を吸収するためのマットが設置されている。また、マットが滑ると、使用者に危険な場合があるので、マットの裏面には滑り止め対策がなされていることが多い。
【０００３】
従来のこの種のマットとして、例えば、下記特許文献１には、表面にパイルを植毛した生地の裏面に、ゴム溶液が格子状に塗布されて、該ゴム溶液が加熱加圧されて硬化されて、前記生地の裏面に格子状の合成ゴムが接合されたバスマットが記載されている。
【０００４】
また、下記特許文献２には、使用者の足を乗せる部分がメッシュ構造をなすシートに形成したマットが記載されている。更に、メッシュ構造のシートの下面には、吸水シートが設けられており、この吸水シートの下面には、複数の通気孔を有するゴムシートから形成された滑り止め部材が設けられていることが記載されている。
【先行技術文献】
【特許文献】
【０００５】
【特許文献１】特開平１１−２４４１２８号公報
【特許文献２】特開２００３−１００３１号公報
【発明の概要】
【発明が解決しようとする課題】
【０００６】
上記特許文献１に記載のマットでは、マット表面に植毛された複数のパイルにより、水分を吸収することができる。しかし、パイルにより吸水できる水分量は限界があり、その限界を超えた場合には、水分がパイルから浸み出て、マット設置面が濡れてしまうことがあった。この場合、水気のあるパイルによりマット使用者に不快感が生じるばかりか、マット設置面が不衛生となり、設置面となる床等も痛みやすく、更にマット設置面における水分によって、マットの滑り止め効果が発揮されにくく、マットが滑りやすくなるというデメリットが生じる。
【０００７】
一方、特許文献２に記載のマットでは、足を乗せる部分が立体メッシュシートとなっているので、マットの表面で水分を吸収することはできず、立体メッシュシートの下面に設けられた吸水シートにより、水分が吸収されることとなる。
【０００８】
しかしながら、吸水シートの下面は滑り止め部材となっており、この滑り止め部材には下方に開口する通気孔が設けられているものの、床等の設置面にマットが設置されると、通気孔の下方開口が塞がれてしまうので、通気性がなくなり、設置面が濡れてしまうことを避けられなかった。
【０００９】
したがって、本発明の目的は、マット設置面を濡らしにくくすることができると共に、濡れてもスムーズに乾かすことができ、更に所定の設置場所から滑りにくいマットを提供することにある。
【課題を解決するための手段】
【００１０】
上記目的を達成するため、本発明のマットは、吸水性を有する繊維からなる編物又は不織布から形成された吸水パッドと、該吸水パッドの裏側に直接又は他の層を介して接合された三次元立体編物からなる通気パッドとを備え、前記通気パッドの裏側に、滑り止め加工が施されているか又は滑り止めシートが配設されていることを特徴とする。
滑り止め加工が施されているか又は滑り止めシートが配設されていることを特徴とする。
【００１１】
上記発明によれば、吸水パッドの裏側に三次元立体編物からなる通気パッドが接合されているので、マット設置面に対して吸水パッドを浮き上がらせて設置することができ、吸水パッドの水分がマット設置面に直接接触するのを防止して、マット設置面を濡れにくくすることができると共に、通気性を有する三次元立体編物からなる通気パッドによって、吸水パッドの裏側に空気が流通しやすくなり、吸水パッドをスムーズに乾かすことができる。また、通気パッドの裏側には、滑り止め加工が施されているか又は滑り止めシートが配設されているので、マット設置面に対してマットを滑りにくくすることができる。
【００１２】
本発明のマットにおいては、前記吸水パッドと前記通気パッドとの間に、前記他の層としてクッション部材が配設されていることが好ましい。これによれば、吸水パッドと通気パッドとの間にクッション部材が配設されているので、マット全体のクッション性を高めることができ、使用時の快適感を高めることが可能となる。
【００１３】
本発明のマットにおいては、前記吸水パッドと前記通気パッドとの間に、前記他の層として抗菌性及び／又は消臭性を有する不織布が配設されていることが好ましい。これによれば、吸水パッドと通気パッドとの間に、抗菌性及び／又は消臭性を有する不織布が配設されているので、マットに菌を繁殖させにくくして清浄な状態に維持することができ、また、マットの不快な臭いを取り除くことができ、例えば、トイレや浴室等に好適に用いることができる。
【００１４】
本発明のマットにおいては、前記吸水パッドの裏側に直接又は他の層を介して、前記通気パッドが接着剤を介して接合されていることが好ましい。これによれば、通気パッドが接着剤を介して接合されているので、各部材の位置ずれを防止して所定の性能を発揮させることができる。
【００１５】
本発明のマットにおいては、前記吸水パッド及び前記通気パッドの周縁には、それらの端部を覆う縁取り部材が縫着されていることが好ましい。これによれば、両パッドの周縁に、それらの端部を覆う縁取り部材が縫着されているので、三次元立体編物の繊維が突き出すことを防止できると共に、両パッドの周縁どうしをしっかりと位置合わせして、両パッドの位置ずれを防止することができ、更にパッド周縁部を補強してへたりにくくすることができる。
【００１６】
本発明のマットにおいては、前記吸水パッドは、マイクロファイバーで織られた、多数の突起を表面に立設させたパイル状の生地で構成されていることが好ましい。これによれば、マイクロファイバーからなるパイル状の生地で優れた吸水性を得ることができると共に、丈夫で耐久性のあるマットを提供することができる。
【発明の効果】
【００１７】
本発明によれば、吸水パッドの裏側に通気パッドが配設されているので、マット設置面から吸水パッドを浮き上がらせて設置することができ、吸水パッドの水分がマット設置面に直接接触するのを防止し、マット設置面を濡れにくくすることができると共に、通気性を有する三次元立体編物からなる通気パッドによって、吸水パッドの裏側に空気が流通しやすくなり、吸水パッドをスムーズに乾かすことができ、更に、通気パッドの裏側の滑り止め加工又は滑り止めシートにより、マットを滑りにくくすることができる。
【図面の簡単な説明】
【００１８】
【図１】本発明に係るマットの、一実施形態を示す分解斜視図である。
【図２】同マットの斜視図である。
【図３】同マットの断面図である。
【図４】本発明に係るマットの、他の実施形態を示す分解斜視図である。
【図５】同マットの斜視図である。
【図６】同マットの断面図である。
【図７】本発明に係るマットの、更に他の実施形態を示す分解斜視図である。
【発明を実施するための形態】
【００１９】
以下、図１〜３を参照して、本発明に係るマットの一実施形態について説明する。
【００２０】
図１〜３に示すように、本実施形態のマット１０は、吸水性を有する繊維からなる編物又は不織布から形成された吸水パッド２０と、該吸水パッド２０の裏側に接合された通気性を有する三次元立体編物からなる通気パッド３０とを備えている。
【００２１】
本実施形態における吸水パッド２０は、マイクロファイバーで織られた、多数の突起２３を表面に立設させたパイル状の生地２１で構成されている（図３参照）。
【００２２】
前記生地２１及びその表面から立設された各突起２３は、ポリエステル系繊維や、ナイロン等のポリアミド系繊維、ポリエチレン系繊維、ポリイミド系繊維などの合成繊維から形成され、吸水性を備えるマイクロファイバーを織って形成されている。
【００２３】
なお、前記吸水パッド２０は、マイクロファイバーからなるパイル状構造以外にも、例えば、ポリエステル系繊維、ポリアミド系繊維、ポリアクリル系繊維、ポリプロピレン系繊維等の合成繊維、綿、麻、ウール等の天然繊維、キュプラレーヨン、ビスコースレーヨン、リヨセル等の再生繊維などで、タオル地状や、ガーゼ状、メリヤス状などに編んだり、不織布を用いたりしてもよく、吸水性があればよい。
【００２４】
一方、図１及び図３に示すように、三次元立体編物からなる通気パッド３０は、複数の網目を有する一対の編地３１，３１と、これらの編地３１，３１どうしを連結する連結繊維３３とから形成されており、通気性を備えたものとなっている。図１に示すように、本実施形態における編地３１は、ハニカム状の網目を有している。また、図３の部分拡大図に示すように、前記連結繊維３３は、一対の編地３１，３１に絡ませて折り返しながら、一対の編地３１，３１の間を所定パターンで往復して、一対の編地３１，３１の間に所定の空隙を設けつつ、両者を連結するようになっている。すなわち、この通気パッド３０には、特許文献２の滑り止め部材の通気孔のように空気の流通路に方向性がなく、その表裏両面及び外周から空気が流通可能となっている。
【００２５】
また、前記編地３１としては、ポリエステル系繊維、ポリアミド系繊維、ポリアクリル系繊維、ポリプロピレン系繊維等の合成繊維、綿、麻、ウール等の天然繊維、キュプラレーヨン、ビスコースレーヨン、リヨセル等の再生繊維など、任意の繊維を用いることができる。
【００２６】
一方、前記連結繊維３３としては、ポリトリメチレンテレフタレート繊維、ポリエチレンテレフタレート繊維、ポリブチレンテレフタレート繊維、ポリアミド繊維、ポリプロピレン繊維、ポリ塩化ビニル繊維、ポリエステル系エラストマー繊維等、任意の合成繊維を用いることができる。
【００２７】
なお、上記のような三次元立体編物は、例えば特開２００６−２０７０５８号公報などに記載された方法で製造できると共に、既に各社から市販されているので、そのような市販品を利用することができる。
【００２８】
上記通気パッド３０は、前記吸水パッド２０の裏側に、接着剤を介して接合されるようになっている。なお、粘着テープや縫着などの手段によって、両パッド２０，３０どうしを接合してもよい。更に本実施形態では、接着剤を介して互いに接合された吸水パッド２０及び通気パッド３０の外周縁全体が、帯状の縁取り部材４０で覆われると共に、該縁取り部材４０が両パッド２０，３０に縫着された構造となっている。
【００２９】
そして、図３の部分拡大図に示すように、通気パッド３０の裏側には、滑り止め加工が施されて、滑り止め層３５が形成されている。このような滑り止め層３５は、例えば、スチレン−エチレン−ブチレン−スチレンブロック共重合体（ＳＥＢＳ）や、スチレン−ブタジエン（ＳＢ）、スチレン−イソプレン（ＳＩ）、スチレン−イソプレン−スチレンブロック共重合体（ＳＩＳ）、スチレン−ブタジエン−スチレンブロック共重合体（ＳＢＳ）、スチレン−エチレン−プロピレン−スチレンブロック共重合体（ＳＥＰＳ）、スチレン−エチレン−プロピレンブロック共重合体（ＳＥＰ）、などを主成分とした粘着材料を、通気パッド３０の裏側に塗布、噴霧、ディッピング等で付着することで形成することができる。
【００３０】
なお、通気パッド３０の裏側に滑り止め加工を施すのではなく、通気パッド３０の裏側にゴムシートや、凹凸形状や波形状が設けられたシート等の、滑り止めシートを、通気パッド３０の裏側に配設してもよい。
【００３１】
次に上記構造からなるマット１０の使用方法及び作用効果について説明する。
【００３２】
このマット１０は、例えば、浴室の脱衣所や出入り口、トイレ、洗面台、キッチン、自動車の座席下等に設置することができる。そして、濡れた足をマット１０の上に乗せることで、その水分が吸水パッド２０により吸水される。ここで本実施形態では、吸水パッド２０が、マイクロファイバーからなり、複数の突起２３が立設したパイル状の生地２１で構成されているので、複数の突起２３及び生地２１自体により、水分が迅速に吸水され、優れた吸水性を発揮することができる。
【００３３】
そして、このマット１０においては、吸水パッド２０の裏側に三次元立体編物からなる通気パッド３０が接合されているので、マット設置面に対して吸水パッド２０を浮き上がらせて設置することができ、吸水パッド２０に含まれた水分がマット設置面に直接接触するのを防止し、マット設置面を濡れにくくすることができる。
【００３４】
また、通気パッド３０として三次元立体編物を採用したことにより、空気が通気パッド３０の裏側からのみならず、その外周からも流通し（図３の部分拡大図の矢印参照）、吸水パッド２０の裏側に多くの空気をスムーズに流通させることができるので、吸水パッド２０を迅速に乾かすことができる。
【００３５】
このように、通気パッド３０によって吸水パッド２０をスムーズに乾かすことができるので、マット１０が濡れた状態ではなく乾いた状態に保持されて、マット１０を極めて快適に用いることができると共に、吸水パッド２０の吸水性能を早く復活させることができ、マット交換を少なくすることができる。
【００３６】
また、通気パッド３０の裏側には、滑り止め加工が施されていて、滑り止め層３５が形成されているので（図３参照）、マット設置面に対してマット１０を滑りにくくすることができる。更に上述したように、マット設置面から吸水パッド２０が浮き上がった構造とされ、マット設置面が濡れにくくなっているので、マット１０を設置面からより滑りにくくすることができる。
【００３７】
また、本実施形態では、吸水パッド２０と通気パッド３０とが接着剤を介して接合されているので、両パッド２０，３０の位置ずれを防止して、通気パッド３０による所定の通気性能を確保することができる。
【００３８】
更に、本実施形態では、両パッド２０，３０の周縁に、それらの端部を覆う縁取り部材４０が縫着されているので、三次元立体編物の繊維が突き出すことを防止できると共に、両パッド２０，３０の周縁どうしをしっかりと位置合わせして、両パッド２０，３０の位置ずれを防止することができ、更にパッド周縁部を補強してへたりにくくすることができる。
【００３９】
図４〜６には、本発明に係るマットの、他の実施形態が示されている。なお、前記実施形態と実質的に同一部分には同符号を付してその説明を省略する。
【００４０】
この実施形態のマット１０ａは、吸水パッド２０ａと、この吸水パッド２０ａの裏側に接合されたクッション部材５０と、このクッション部材５０の裏側に接合された通気パッド３０とを有している。
【００４１】
前記吸水パッド２０ａは、前記実施形態の吸水パッド２０と基本的には同様な構造及び材質で形成されているが、図５及び図６の部分拡大図に示すように、生地２１の表面から立設された各突起２３ａが、前記実施形態の突起２３と比べて、高さが低くかつ細い外径で形成されている。
【００４２】
前記クッション部材５０としては、クッション性を有するシート材料であれば特に限定されないが、例えば発泡ポリウレタン、発泡ポリエチレン等の発泡樹脂又は発泡エラストマーが好ましく用いられる。また、このクッション部材５０は、通気性を有していることが好ましく、連通気泡を有するものや、連通孔を形成したものが好ましい。
【００４３】
この実施形態のマット１０ａによれば、吸水パッド２０ａと通気パッド３０との間に、クッション部材５０が配設されているので、マット全体のクッション性を高めることができ、マット使用時の快適感を高めることができる。
【００４４】
図７には、本発明に係るマットの、更に他の実施形態が示されている。なお、前記実施形態と実質的に同一部分には同符号を付してその説明を省略する。
【００４５】
この実施形態のマット１０ｂは、吸水パッド２０ａと、この吸水パッド２０ａの裏側に接合された抗菌性及び／又は消臭性を有する不織布６０と、この不織布６０の裏側に接合配設されたクッション部材５０と、このクッション部材５０の裏側に接合された通気パッド３０とを有している。
【００４６】
抗菌性及び／又は消臭性を有する不織布６０は、抗菌性・消臭性を発揮する材料を、樹脂に混合されてなる繊維を利用して製造したり、所定形状に形成された不織布に前記材料を付着させて製造したりすることができる。抗菌性を有する材料としては、例えば、銅、銀、亜鉛、酸化チタン、アルミナや、活性炭、ゼオライトなどが挙げられ、消臭性を有する材料としては、例えば、活性炭、酸化亜鉛などが挙げられる。これらは、複数種類のものを併用することもでき、抗菌性及び消臭性を付与することが好ましい。
【００４７】
なお、この実施形態における前記不織布６０は、吸水パッド２０ａとクッション部材５０との間に配設されているが、クッション部材５０と通気パッド３０との間に配設されていてもよく、吸水パッド２０ａとクッション部材５０との間、及び、クッション部材５０と通気パッド３０との間のそれぞれに、不織布６０が配設されていてもよい。
【００４８】
この実施形態のマット１０ｂによれば、吸水パッド２０ａと通気パッド３０との間に、抗菌性及び消臭性を有する不織布６０が配設されているので、マット１０ｂに菌を繁殖させにくくして清浄な状態に維持することができると共に、マット１０ｂの不快な臭いを取り除くことができ、例えば、トイレや浴室等に好適に用いることができる。
【実施例】
【００４９】
図１〜３に示す構造と同様の、本発明に係るマットを作製した。
【００５０】
２００デニール（Ｄ）のポリエステル繊維で各編地３１を作製すると共に、１４０デニール（Ｄ）のポリエステル繊維からなる連結繊維３３で、両編地３１，３１を連結し、厚さＤ（図３参照）が６ｍｍの通気パッド３０を作製した。この通気パッド３０の裏側に、スチレン−エチレン−ブチレン−スチレンブロック共重合体（ＳＥＢＳ）を主成分とした粘着材料を塗布して、滑り止め層３５を作製した。
【００５１】
この通気パッド３０上に、ポリエステル繊維からなるマイクロファイバーで形成された吸水パッド２０を接着剤を介して接合すると共に、両パッド２０，３０の全周を縁取り部材４０で縫着して、図１〜３に示すマット１０を作製した。
【００５２】
このようにして作製されたマット１０を、浴室の出口に設置してバスマットとして用いたところ、十分な吸水性が得られ、マット設置面が濡れにくくなり、更に濡れた吸水パッド２０も迅速に乾き、使用者にとって、すこぶる快適であることを確認できた。
【符号の説明】
【００５３】
１０，１０ａ，１０ｂ  マット
２０，２０ａ  吸水パッド
２１  生地
２３  突起
３０  通気パッド
３１  編地
３３  連結繊維
３５  滑り止め層
４０  縁取り部材
５０  クッション部材
６０  不織布
【図１】
2012187380.tif 000003
【図２】
2012187380.tif 000004
【図３】
2012187380.tif 000005
【図４】
2012187380.tif 000006
【図５】
2012187380.tif 000007
【図６】
2012187380.tif 000008
【図７】
2012187380.tif 000009